(57)【要約】【課題】チルトセンサの調整時において、光ディスクとチルトセンサとの距離が変化することなく、チルトセンサからの出射光の光ディスク上での反射位置も変化しないで、容易に傾き調整を行うことが可能となる光ピックアップ装置のチルトセンサ調整機構を提供する。【解決手段】本発明のチルトセンサ調整機構１０１は、ハウジング１の球面座１ａおよびセンサホルダ９の当接面９ｅをともに、チルトセンサ８から出射される光の光ディスク６上での反射位置Ｐを中心とした半径Ｑの球に含まれる球面で構成し、センサホルダ９を移動させることによりチルトセンサ８の傾きを調整する。したがって、光ディスク６上での反射位置Ｐおよびチルトセンサ８と反射位置Ｐとの距離は変化せず、容易にチルトセンサ８の傾き調整を行うことができる。【選択図】図１
2007317306.tif 000002
【特許請求の範囲】
【請求項１】
ガイドシャフトによって光ディスクの半径方向へ移動自在に支持されたハウジングと光ピックアップ装置とを有する光ディスク装置に備えられ、該光ディスクの傾きを検出するチルトセンサと該チルトセンサを固定するセンサホルダとセンサホルダ移動手段とを有するチルトセンサ調整機構であって、
上記チルトセンサは、上記センサホルダに固定され、
上記センサホルダは、上記チルトセンサから出射される光が上記光ディスク装置に収納された反りのない光ディスク面上で反射する位置を中心とする球の球面に含まれる第１面を有し、
上記ハウジングには第２面が設けられ、
該第２面を球面の一部とする球の中心および半径と、上記第１面を球面の一部とする球の中心および半径とが同一であり、
上記第１面と第２面とが接しており、
上記センサホルダ移動手段によって上記センサホルダを移動させることにより、上記チルトセンサの傾きが調整されることを特徴とするチルトセンサ調整機構。
【請求項２】
上記センサホルダはさらに第３面を有し、
該第３面は上記第１面を球面の一部とする球と中心が同一であって、半径が該球の半径よりも上記センサホルダの第３面における厚さだけ短い距離である球の球面に含まれ、
センサホルダ保持手段が、上記第３面に対し垂直方向に上記センサホルダを押圧することを特徴とする請求項１に記載のチルトセンサ調整機構。
【請求項３】
上記センサホルダ保持手段は、上記ハウジングに固定された少なくとも１つ以上の弾性部材であることを特徴とする請求項２に記載のチルトセンサ調整機構。
【請求項４】
上記第１面と第２面とが互いに接着固定されていることを特徴とする請求項１〜３のいずれか１項に記載のチルトセンサ調整機構。
【請求項５】
請求項１〜４のいずれか１項に記載のチルトセンサ調整機構を備えることを特徴とする光ピックアップ装置。
【発明の詳細な説明】
【技術分野】
【０００１】
本発明は、光ディスクの傾きを検出し、これに基づいてチルト補正制御を行いながら、光ディスクへの記録や再生を行う光ピックアップ装置のチルトセンサ調整機構に関するものである。
【背景技術】
【０００２】
光ディスク記録再生装置では、データを記録した光ディスク面とデータを記録／再生する光の光軸とが垂直になるようにして、隣接するトラックからのクロストークを防止する必要がある。このため、従来より光ディスク記録再生装置には、光軸に対するディスク面の傾きを検出するチルトセンサが設けられている。ディスクに反りがあって、光軸に対するディスク面の傾きがチルトセンサによって検出されると、その検出結果に基づいて対物レンズからの光の光軸が光ディスク面に垂直に入反射するように、光ピックアップの対物レンズからの光の出射方向が調整される。したがってチルトセンサは、反りのない光ディスクに対しては、チルトセンサから出射される光の光軸が光ディスク面と垂直になるように調整されていなければならない。
【０００３】
従来のチルトセンサ調整機構では、チルトセンサを固定している基盤を特定の軸を基準に回転等させることによって、光ディスクに対するチルトセンサの傾きを調整するものであった。
【０００４】
例として、特許文献１に開示の構造を図５（ａ）および（ｂ）に示す。図５（ａ）は、特許文献１に開示のチルトセンサ保持構造を示す斜視図であり、図５（ｂ）はその側面図である。チルトセンサ７０８は、Ｌ字形状の一部が折り返されコ字状部が形成された保持部材７０１に固定されており、保持部材７０１は、ベース７０２に設けられた突起７０２ａと保持部材７０１の穴７０１ａとが嵌合し、保持部材７０１のコ字状部がベース７０２を弾力的に挟持していることにより半固定状態となっている。ここで、調整触手７０３の突起７０３ａを保持部材７０１の調整穴７０１ｂに挿入し保持部材７０１を回転させるか、または、調整触手７０４を保持部材７０１の起し部７０１ｃ・７０１ｃの間に入れて保持部材７０１を回転させることにより、チルトセンサ７０８の傾きが調整される。この場合、ベース７０２の突起７０２ａと保持部材７０１の穴７０１ａとが嵌合しているため、保持部材７０１は突起７０２ａを中心に回転し、チルトセンサ７０８の傾きが調整される。
【０００５】
また、特許文献２に開示の構造を、図６（ａ）および（ｂ）に示す。図６（ａ）は、チルトセンサ保持板８０１の側面図、図６（ｂ）はチルトセンサ保持板８０１の部分拡大図である。図６（ａ）に示すように、チルトセンサ８０８は、略Ｌ字型に曲げたチルトセンサ保持板８０１のチルトセンサ取付部８０１ｂに固定されている。図６（ｂ）に示すように、チルトセンサ保持板８０１の支承部８０１ａが、その中央を略四角形に貫通してあることにより、チルトセンサ保持板８０１の曲げ剛性を低くしてある。チルトセンサ８０８の傾き調整は、チルトセンサ取付部８０１ｂの傾きを固定光学系固着部８０１ｃに対し支承部８０１ａを中心として調整することにより行われる。
【０００６】
また、特許文献３に開示の構造を、図７に示す。図７は、特許文献３に開示のチルトセンサ保持構造の断面図であり、チルトセンサ９０８が、アクチュエータカバー９０１に一体的に設けたヒンジ９０１ａに固定されている。ネジ９０２を矢印方向に差し込み、ヒンジ９０１ａを弾性変形させることにより、チルトセンサ９０８の傾き調整を行っている。
【特許文献１】実開平６−４９２２号公報（平成６年１月２１日公開）
【特許文献２】特開平６−２８６９５号公報（平成６年２月４日公開）
【特許文献３】特許第３１７２６５５号公報（平成８年１１月２９日公開）
【発明の開示】
【発明が解決しようとする課題】
【０００７】
しかしながら、上記いずれの従来の構成でも、傾き調整によりチルトセンサからの光の光ディスク上での反射位置が変化してしまう。また、当該反射位置とチルトセンサとの距離が変化してしまい、正確なチルト制御ができなくなるという問題を生じる。さらに、上記いずれの構造でも、一方向の傾き調整ができるのみであり、チルトセンサからの光の光軸が光ディスク面に垂直に入射できない場合がある。
【０００８】
具体的には、上記特許文献１に開示の構造では、チルトセンサ７０８の傾き調整は、突起７０２ａを中心として保持部材７０１が回転することにより行われるため、傾き調整によりチルトセンサ７０８からの光の光ディスク上での反射位置が変化し、また、当該反射位置とチルトセンサ７０８との距離が変化してしまう。
【０００９】
また、上記特許文献２に開示の構造では、チルトセンサ取付部８０１ｂが、その支承部８０１ａを中心として傾き調整をするものであるため、傾き調整によりチルトセンサ８０８からの光の光ディスク上での反射位置が変化し、また、当該反射位置とチルトセンサ８０８との距離が変化してしまう。
【００１０】
また、上記特許文献３に開示の構造では、チルトセンサ９０８が固定されたヒンジ９０１ａを弾性変形させることにより傾き調整を行っているため、傾き調整はヒンジ９０１ａの折れ曲がり部分９０１ｂを中心として調整される。したがって、チルトセンサ９０８からの光の光ディスク上での反射位置が変化し、また、当該反射位置とチルトセンサ９０８との距離が変化してしまう。
【００１１】
ここで、チルトセンサの傾き調整によりチルトセンサからの光の光ディスク上での反射位置が変化すると、具体的には以下のような問題を生ずることとなる。
【００１２】
図４は、光ディスク面において図２に示す対物レンズ２から出射された光が反射する位置とチルトセンサ８から出射された光が反射する位置とを示す概略図である。Ｄは光ディスク上の情報記録エリアであり、対物レンズから出射される光が光ディスク上で反射する位置（光スポット）は最内周位置である２ｉｎから最外周位置である２ｏｕｔまでの範囲を移動する。情報記録エリアＤ以外の部分は、情報が記録されていない透明部やミラー部である。
【００１３】
チルトセンサは、対物レンズに対し所定の距離をもって固定されており、対物レンズの光スポットが情報記録エリアの最内周位置である２ｉｎの時、チルトセンサの光スポットは８ｉｎの位置にある。また、対物レンズの光スポットが２ｏｕｔの時、チルトセンサの光スポットは８ｏｕｔの位置にある。チルトセンサの傾き調整前において、あらかじめ対物レンズ２とチルトセンサ８との位置関係は、８ｉｎと８ｏｕｔとが情報記録エリアＤ内にあるように設定されている。
【００１４】
ここでチルトセンサの傾き調整により、チルトセンサの光スポットの位置が変化すると、８ｉｎや８ｏｕｔの位置が情報記録エリアＤから外れ、情報が記録されていない透明部やミラー部に、部分的に入り込む可能性がある。チルトセンサの光スポットが情報記録エリアＤから外れると、チルトセンサの受光部での反射光の受光量が、光スポットが情報記録エリアＤ内にある場合と異なり、出力信号に差が発生する。そのため、正確なチルト補正制御が出来なくなってしまうこととなる。
【００１５】
また、チルトセンサの傾き調整によりチルトセンサからの光の光ディスク上での反射位置とチルトセンサとの距離が変化すると、チルトセンサの傾き調整前後でチルトセンサの反射光の出力が変化し、正確なチルト補正制御を妨げる原因となる。
【００１６】
さらに、特許文献１〜３の構成では、チルトセンサの傾き調整は、チルトセンサからの光の光軸と光ディスク面とが、特定の一方向から見て垂直になるように調整することは可能である。しかし、任意の方向から見て垂直に調整できるとは限らない。
【００１７】
図７を例に説明すると、断面に対して垂直方向から見て、チルトセンサ９０８からの光の光軸と光ディスク面とが垂直となるように調整することは可能である。しかし、その他の方向から見てチルトセンサ９０８からの光の光軸と光ディスク面とが垂直になっているとは限らない。すなわちチルトセンサ９０８は、固定された特定の軸（ヒンジ９０１ａの折曲がり部分９０１ｂ）を中心に回転するのみであるので、チルトセンサからの光の光軸と光ディスク面とが、任意の方向から見て垂直となるように調整できるとは限らない。
【００１８】
任意の方向から見て垂直となるようにチルトセンサの傾きを調整できなければ、チルトセンサは光ディスクの傾きを正確に検知することができない。
【００１９】
本発明は、上記の問題点に鑑みてなされたものであり、その目的は、チルトセンサからの光の光ディスク上での反射位置および当該反射位置とチルトセンサとの距離を傾き調整前後で変化させずに、なおかつ、光ディスクに対してラジアル方向、タンジェンシャル方向を含むあらゆる方向に、簡単な構造でチルトセンサの傾き調整を行うことができるチルトセンサ調整機構およびそれを備えた光ピックアップ装置を実現することにある。
【課題を解決するための手段】
【００２０】
本発明に係るチルトセンサ調整機構は、上記課題を解決するために、ガイドシャフトによって光ディスクの半径方向へ移動自在に支持されたハウジングと光ピックアップ装置とを有する光ディスク装置に備えられ、該光ディスクの傾きを検出するチルトセンサと該チルトセンサを固定するセンサホルダとセンサホルダ移動手段とを有するチルトセンサ調整機構であって、上記チルトセンサは、上記センサホルダに固定され、上記センサホルダは、上記チルトセンサから出射される光が上記光ディスク装置に収納された反りのない光ディスク面上で反射する位置を中心とする球の球面に含まれる第１面を有し、上記ハウジングには第２面が設けられ、該第２面を球面の一部とする球の中心および半径と、上記第１面を球面の一部とする球の中心および半径とが同一であり、上記第１面と第２面とが接しており、上記センサホルダ移動手段によって上記センサホルダを移動させることにより、上記チルトセンサの傾きが調整されることを特徴としている。
【００２１】
上記の構成によれば、チルトセンサの傾き調整は、センサホルダ移動手段によってセンサホルダが移動されることにより行われる。ここで、センサホルダの第１面およびハウジングの第２面がともに、チルトセンサからの光が光ディスク面上で反射する位置を中心とした球の球面の一部であるから、センサホルダが移動しても、光ディスク面上での反射位置が移動することがなく、なおかつ、光ディスク面上での反射位置とチルトセンサとの距離も変化しない。さらに、光ディスクに対してラジアル方向、タンジェンシャル方向を含めたあらゆる方向に調整が可能である。
【００２２】
よって、チルトセンサからの光の光ディスク上での反射位置および当該反射位置とチルトセンサとの距離を傾き調整前後で変化させずに、なおかつ、光ディスクに対してラジアル方向、タンジェンシャル方向を含むあらゆる方向に、簡単な構造でチルトセンサの傾き調整を行うことができるという効果を奏する。
【００２３】
本発明に係る光ピックアップ装置のチルトセンサ調整機構では、さらに、上記センサホルダはさらに第３面を有し、該第３面は上記第１面を球面の一部とする球と中心が同一であって、半径が該球の半径よりも上記センサホルダの第３面における厚さだけ短い距離である球の球面に含まれ、センサホルダ保持手段が、上記第３面に対し垂直方向に上記センサホルダを押圧することがさらに好ましい。
【００２４】
上記の構成によれば、センサホルダの第３面が、センサホルダの第１面およびハウジングの第２面と平行であることにより、第３面を垂直に押圧してもセンサホルダが移動することがないため、安定して押圧することが可能となるという効果を奏する。また、チルトセンサの傾き調整後にハウジングとセンサホルダとを接着固定する場合に、安定して接着することができるという効果を奏する。
【００２５】
本発明に係るチルトセンサ調整機構は、さらに、上記センサホルダ保持手段は、上記ハウジングに固定された少なくとも１つ以上の弾性部材であってもよい。
【００２６】
上記の構成によれば、弾性部材により適度な圧力でセンサホルダを半固定状態とすることができるので、チルトセンサの傾き調整がさらに容易になるという効果を奏する。
【００２７】
本発明に係るチルトセンサ調整機構は、上記第１面と第２面とが互いに接着固定されていることがさらに好ましい。
【００２８】
上記の構成によれば、センサホルダはハウジングに接着固定される。センサホルダが弾性部材等で半固定状態のままであると、チルトセンサの傾き調整後、外的な力が加わった場合にセンサホルダがずれてしまう可能性がある。しかし、センサホルダがハウジングに接着固定されていると、センサホルダがずれてしまうことがないというさらなる効果を奏する。
【００２９】
本発明に係る光ピックアップ装置は、上記チルトセンサ調整機構を備えていることを特徴とする。
【００３０】
上記の構成によれば、チルトセンサからの光の光軸が反りのない光ディスク面に対して垂直となるようにチルトセンサを調整することができるので、光ピックアップ装置は反りのある光ディスクを再生／記録する場合に、正確なチルト補正が可能になる。
【発明の効果】
【００３１】
本発明に係るチルトセンサ調整機構は、以上のように、光ピックアップ装置とハウジングとを有するディスク記録再生装置に備えられ、センサホルダとチルトセンサとセンサホルダ移動手段とを有するチルトセンサ調整機構であって、上記チルトセンサは、上記センサホルダに固定され、上記センサホルダは、上記チルトセンサから出射される光が上記光ピックアップ装置に収納された反りのない光ディスク面上で反射する位置を中心とする球の球面に含まれる第１面を有し、上記ハウジングには、上記第１面を球面の一部とする球とその中心と半径が同一である球の球面に含まれる第２面が設けられ、上記第１面と第２面とが接しており、上記センサホルダ移動手段が上記センサホルダを移動させることにより、上記チルトセンサの傾きが調整されるので、チルトセンサからの光の光ディスク上での反射位置および当該反射位置とチルトセンサとの距離を傾き調整前後で変化させずに、なおかつ、光ディスクに対してラジアル方向、タンジェンシャル方向を含むあらゆる方向に、簡単な構造でチルトセンサの傾き調整を行うことができるという効果を奏する。
【発明を実施するための最良の形態】
【００３２】
本発明の一実施形態について図１〜図３に基づいて説明すると以下の通りである。
【００３３】
図２は、本発明に係る光ピックアップ装置１００の概略図であり、光ピックアップ装置１００は、ハウジング１（ハウジング）、対物レンズ２、アクチュエータ３、レーザダイオード４等を備えている。ハウジング１には、対物レンズ２を有したアクチュエータ３およびレーザダイオード４を有したレーザホルダ５が固定されている。レーザダイオード４からの光は、図示しないレンズ等の光学部品を通って対物レンズ２から出射され、図示しない光ディスクの情報記録面に反射し情報の読み取りや記録を行う。
【００３４】
また、ハウジング１は、メイン軸受部１ｂ・１ｂとサブ軸受部１ｃとを有し、メイン軸受部１ｂ・１ｂとサブ軸受部１ｃはそれぞれ、２本のガイドシャフト７・７に嵌められていることにより、ガイドシャフト７・７にガイドされる。さらに図示しない駆動源により、ハウジング１は、光ディスクの内周から外周へ半径方向に移動する。ハウジング１の移動により、対物レンズ２から出射した光は光ディスク上を移動する。
【００３５】
さらにハウジング１において対物レンズ２の近傍には、チルトセンサ調整機構１０１が設けられ、チルトセンサ８（チルトセンサ）を備えたセンサホルダ９（センサホルダ）が固定されている。センサホルダ９は、ホルダ押えバネ１０・１０（センサホルダ保持手段）およびネジ１１・１１により、ハウジング１に固定されている。
【００３６】
図３は、チルトセンサ調整機構１０１の詳細を示す斜視図である。センサホルダ９には、センサ取付面９ａ、押圧面９ｂ（第３面）および調整孔９ｃが設けられており、センサ取付面９ａは平面、押圧面９ｂは球状面である。チルトセンサ８は、チルトセンサ８から出射される光の光軸がセンサ取付面９ａと垂直になるように、センサ取付面９ａにおいて固定されている。ホルダ押えバネ１０には突起１０ａが形成されており、押圧面９ｂは、ハウジング１の球面座１ａと図１に示すセンサホルダ９の当接面９ｅとを合致させた状態で、ホルダ押えバネ１０およびネジ１１により押圧されている。ホルダ押えバネ１０は、押圧面９ｂに対し垂直方向に押圧するように弾性変位し、センサホルダ９の姿勢が変化しても突起１０ａ以外の部分はセンサホルダ９に干渉しないようになっている。調整孔９ｃは、調整レバー１２（センサホルダ移動手段）の調整軸１２ａを挿入するための穴であり、調整レバー１２によってセンサホルダ９を移動させる。
【００３７】
またハウジング１には、センサホルダ９を固定するための球面座１ａ（第２面）が設けられている。チルトセンサ８による光ディスクの傾きの検出は、チルトセンサ８の内部に設けられた図示しない光源から出射された光が図１に示す光ディスク６（光ディスク）に反射され、チルトセンサ８の内部に設けられた図示しない２つの受光部がその反射光を受けることによって行われる。
【００３８】
図１は、ホルダ押えネジ１１・１１のそれぞれの中心を通りハウジング１と垂直な平面で切った場合の、チルトセンサ調整機構１０１の断面図である。光ディスク６は反りのない基準ディスクであり、光ディスク６とハウジング１の平面とは平行になっている。センサホルダ９のセンサ取付面９ａには、位置決め穴９ｄ・９ｄが設けられている。チルトセンサ８には、位置決めピン８ａ・８ａが設けられており、位置決めピン８ａ・８ａを位置決め穴９ｄ・９ｄに挿入することで、チルトセンサ８はセンサホルダ９に固定されている。
【００３９】
センサホルダ９の下部には当接面９ｅ（第１面）が設けられており、当接面９ｅは球状面である。ハウジング１の球面座１ａと当接面９ｅとが接していることで、センサホルダ９はハウジング１に固定されている。
【００４０】
上記のようにハウジング１の球面座１ａおよびセンサホルダ９の当接面９ｅは、どちらも球状面であり、さらに具体的には、チルトセンサ８から出射された光が光ディスク６上に反射する位置をＰとすると、球面座１ａは、中心をＰ、半径をＱとする球の球面に含まれる凹状球面であり、当接面９ｅは同じく中心をＰ、半径をＱとする球の球面に含まれる凸状球面である。球面座１ａと当接面９ｅとが、同一の球の球面に含まれる面であるため、球面座１ａと当接面９ｅとは、隙間無く接している。
【００４１】
チルトセンサ８の傾き調整前において、チルトセンサ８から出射した光の光軸が光ディスク６に垂直に入射していない場合、まず対物レンズ２の傾きを調整し、対物レンズ２から出射した光の光軸が光ディスク６に垂直に入反射するように調整する。
【００４２】
次に、チルトセンサ８から出射した光の光軸が光ディスク６に垂直に入反射するようにチルトセンサ８の傾きを調整する。チルトセンサ８の傾き調整は、ハウジング１の球面座１ａとセンサホルダ９の当接面９ｅとが接した状態で、センサホルダ９を移動させることにより行われる。具体的には図１において、調整孔９ｃに調整レバー１２の調整軸１２ａを挿入し、調整レバー１２を矢印方向に回転させ、センサホルダ９を移動させる。
【００４３】
ハウジング１の球面座１ａとセンサホルダ９の当接面９ｅとがともに、中心をＰとする球の球面に含まれるため、球面座１ａと当接面９ｅとが接した状態でセンサホルダ９を移動させても、チルトセンサ８から出射した光の光ディスク上での反射位置Ｐは移動しない。すなわち、チルトセンサ８の傾き調整のためにセンサホルダ９を移動させても反射位置Ｐは移動しないので、チルトセンサ８の傾き調整前後で反射位置Ｐは移動しない。したがって、図４における８ｉｎおよび８ｏｕｔの位置は、チルトセンサ８の傾き調整前後で変化せず、情報記録エリアＤから外れることがない。
【００４４】
さらにチルトセンサ８と反射位置Ｐとの距離もセンサホルダ９が移動しても変わらないので、チルトセンサ８の傾き調整前後でチルトセンサ８と反射位置Ｐとの距離は変化しない。したがって、チルトセンサ８の反射光の出力が変化せず、正確なチルト補正制御が可能となる。
【００４５】
また、センサホルダ９は球面座１ａと当接面９ｅとが接した状態であれば、任意の方向に移動させてもよい。これにより、光ディスクに対してラジアル方向、タンジェンシャル方向を含むあらゆる方向に、チルトセンサの傾きを調整することができる。
【００４６】
なお、押圧面９ｂでのセンサホルダ９の厚さをＳとすると、センサホルダ９の押圧面９ｂは、中心をＰ、半径をＲ（Ｒ＝Ｑ−Ｓ）とする球面に含まれる面である。すなわち、センサホルダ９の当接面９ｅと押圧面９ｂとは平行である。ホルダ押えバネ１０は、当接面９ｅを当接面９ｅに対し垂直に適度な圧力で押圧しているので、ホルダ押えバネ１０の押圧力によりセンサホルダ９が移動することはない。したがって、球面座１ａと当接面９ｅとが接した状態でより安定した調整が可能となる。
【００４７】
傾きを調整しチルトセンサ８から出射した光の光軸が光ディスク６に垂直に入射していることを確認した後、センサホルダ９とハウジング１とを接着剤により接着固定する。これにより、光ピックアップ装置を移動させる際など、センサホルダ９に外的な力が加わっても、センサホルダ９がずれることはない。
【００４８】
なお、チルトセンサ８は、必ずしもチルトセンサ８から出射される光の光軸がセンサ取付面９ａと垂直になるように、センサ取付面９ａにおいて固定されていなくてもよい。チルトセンサ８から出射される光の光軸がセンサ取付面９ａと垂直でなくても、上記の傾き調整により、チルトセンサ８から出射した光の光軸が光ディスク６に垂直に入射するように調整することが可能である。
【００４９】
また上記では、ホルダ押えバネ１０はネジ１１・１１により固定され、２つの部品からなるものを示したが、１つの部品であってもよい。
【００５０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５１】
本発明に係るチルトセンサ調整機構は、反りのある光ディスクであっても正確に記録／再生することが必要な光ピックアップ装置に好適に適用できる。
【図面の簡単な説明】
【００５２】
【図１】本発明の実施形態を示すものであり、チルトセンサ調整機構１０１の断面図である。
【図２】本発明の実施形態を示すものであり、光ピックアップ装置１００の概略図である。
【図３】本発明の実施形態を示すものであり、チルトセンサ調整機構１０１の詳細を示す斜視図である。
【図４】光ディスク面において対物レンズから出射された光が反射する位置とチルトセンサから出射された光が反射する位置とを示す概略図である。
【図５】（ａ）、（ｂ）ともに従来技術を示すものであり、（ａ）は従来のチルトセンサ保持構造を示す斜視図、（ｂ）は従来のチルトセンサ保持構造を示す側面図である。
【図６】（ａ）、（ｂ）ともに従来技術を示すものであり、（ａ）はチルトセンサ保持板８０１の側面図、（ｂ）はチルトセンサ保持板８０１の部分拡大図である。
【図７】従来技術を示すものであり、従来のチルトセンサ保持構造の断面図である。
【符号の説明】
【００５３】
１        ハウジング（ハウジング）
１ａ      球面座（第２面）
１ｂ      メイン軸受部
１ｃ      サブ軸受部
２        対物レンズ
２ｉｎ    最内周位置における対物レンズの光スポット
２ｏｕｔ  最外周位置における対物レンズの光スポット
３        アクチュエータ
４        レーザダイオード
５        レーザホルダ
６        光ディスク（光ディスク）
７        ガイドシャフト
８        チルトセンサ（チルトセンサ）
８ｉｎ    最内周位置におけるチルトセンサの光スポット
８ｏｕｔ  最外周位置におけるチルトセンサの光スポット
９        センサホルダ（センサホルダ）
９ａ      センサ取付面
９ｂ      押圧面（第３面）
９ｃ      調整孔
９ｄ      位置決め穴
９ｅ      当接面（第１面）
１０      ホルダ押えバネ（センサホルダ保持手段）
１０ａ    突起
１１      ホルダ押えネジ
１２      調整レバー（センサホルダ移動手段）
１２ａ    調整軸
１００    光ピックアップ装置
１０１    チルトセンサ調整機構
Ｄ        情報記録エリア
【図１】
2007317306.tif 000003
【図２】
2007317306.tif 000004
【図３】
2007317306.tif 000005
【図４】
2007317306.tif 000006
【図５】
2007317306.tif 000007
【図６】
2007317306.tif 000008
【図７】
2007317306.tif 000009